(57)【要約】【課題】監査装置で監査された錠剤シートに、錠剤マスに錠剤を投入すべき錠剤シートが含まれる場合に、当該錠剤シートをユーザに認識させること。【解決手段】  錠剤シートが処方データ分あるかを監査し、監査結果を出力する監査装置から出力された監査結果から、錠剤マスに手撒きすべき錠剤シートが含まれるか否かを判定し、錠剤マスに手撒きすべき錠剤シートが含まれると判定された場合に、当該錠剤マスのマス配列を案内するための錠剤マス画面を表示し、錠剤マスに手撒きすべき錠剤シートが含まれないと判定された場合に、錠剤シートから錠剤を取り出す錠剤取出しユニットを選択する選択画面を表示する。【選択図】図１７
2017118916.tif 000002
【特許請求の範囲】
【請求項１】
錠剤を分包する分包手段に錠剤を供給する分包システムであって、
処方データに従って錠剤シートから錠剤を取り出して前記分包手段に供給する錠剤取出し手段と、
錠剤マスに手撒きされた錠剤を前記分包手段に供給する手撒供給手段と、
錠剤シートが処方データ分あるかを監査し、監査結果を出力する出力手段を備える監査装置から出力された監査結果から、当該監査装置で監査した錠剤シートの情報を特定する特定手段と、
前記特定手段により特定した錠剤シートの情報から、錠剤マスに手撒きすべき錠剤シートが含まれるか否かを判定する判定手段と、
前記判定手段により、錠剤マスに手撒きすべき錠剤シートが含まれると判定された場合に、当該錠剤マスのマス配列を案内するための錠剤マス画面を表示し、前記判定手段により、錠剤マスに手撒きすべき錠剤シートが含まれないと判定された場合に、前記錠剤シートから錠剤を取り出す錠剤取出し手段を選択する選択画面を表示する表示手段と
を備えることを特徴とする分包システム。
【請求項２】
前記錠剤マスに手撒きすべき錠剤シートとは、当該錠剤シートに封入されている錠剤のうち、当該錠剤シートから一部の錠剤を取り出す錠剤シートであることを特徴とする請求項１に記載の分包システム。
【請求項３】
前記表示手段は、前記錠剤マス画面を表示した後に、更に前記選択画面を表示することを特徴とする請求項１または２に記載の分包システム。
【請求項４】
錠剤を分包する分包手段に錠剤を供給する分包システムであって、処方データに従って錠剤シートから錠剤を取り出して前記分包手段に供給する錠剤取出し手段を備える分包システムの制御方法であって、
前記分包システムの手撒き供給手段が、錠剤マスに手撒きされた錠剤を前記分包手段に供給する手撒供給工程と、
前記分包システムの特定手段が、錠剤シートが処方データ分あるかを監査し、監査結果を出力する出力手段を備える監査装置から出力された監査結果から、当該監査装置で監査した錠剤シートの情報を特定する特定工程と、
前記分包システムの判定手段が、前記特定工程により特定した錠剤シートの情報から、錠剤マスに手撒きすべき錠剤シートが含まれるか否かを判定する判定工程と、
前記分包システムの表示手段が、前記判定工程で、錠剤マスに手撒きすべき錠剤シートが含まれると判定された場合に、当該錠剤マスのマス配列を案内するための錠剤マス画面を表示し、前記判定工程で、錠剤マスに手撒きすべき錠剤シートが含まれないと判定された場合に、前記錠剤シートから錠剤を取り出す錠剤取出し手段を選択する選択画面を表示する表示工程と
を備えることを特徴とする分包システムの制御方法。
【請求項５】
錠剤を分包する分包手段に錠剤を供給する分包システムで読み取り実行可能なプログラムであって、
前記分包システムを、
処方データに従って錠剤シートから錠剤を取り出して前記分包手段に供給する錠剤取出し手段と、
錠剤マスに手撒きされた錠剤を前記分包手段に供給する手撒供給手段と、
錠剤シートが処方データ分あるかを監査し、監査結果を出力する出力手段を備える監査装置から出力された監査結果から、当該監査装置で監査した錠剤シートの情報を特定する特定手段と、
前記特定手段により特定した錠剤シートの情報から、錠剤マスに手撒きすべき錠剤シートが含まれるか否かを判定する判定手段と、
前記判定手段により、錠剤マスに手撒きすべき錠剤シートが含まれると判定された場合に、当該錠剤マスのマス配列を案内するための錠剤マス画面を表示し、前記判定手段により、錠剤マスに手撒きすべき錠剤シートが含まれないと判定された場合に、前記錠剤シートから錠剤を取り出す錠剤取出し手段を選択する選択画面を表示する表示手段として機能させることを特徴とするプログラム。
【発明の詳細な説明】
【技術分野】
【０００１】
本発明は、分包システム、分包システムの制御方法、およびプログラムに関し、特に、監査装置で監査された錠剤シートに、錠剤マスに錠剤を投入すべき錠剤シートが含まれる場合に、当該錠剤シートをユーザに認識させることが可能な仕組みに関する。
【背景技術】
【０００２】
従来、調剤業務において、処方箋に従って、ＰＴＰシート（錠剤シートともいい、以下錠剤シートと称する）で提供されている錠剤（薬）の一包化を行うためには、人の手によって錠剤シートから錠剤を１回分の錠剤数ずつ取り出し、分包機へセットする必要があり、作業が煩雑であった。
【０００３】
上記課題を解決するために、特許文献１では、錠剤シートから錠剤を除包し、錠剤を１回飲用分宛プラスチック製小瓶等の適宜容器に入れて投与する錠剤供給装置が提案されている。
【０００４】
特許文献１は、具体的には、錠剤シートから錠剤を取り出す錠剤供給装置を複数台用意し、複数台の錠剤供給装置で取り出された錠剤を、下方の集合部で集めて、小瓶等の容器に入れることが記載されている。
【０００５】
また、従来、ユーザがピッキングした錠剤シートの種類とその量が、処方箋に含まれる錠剤シートの種類とその量と合っているかを薬剤監査装置（例えば、特許文献１に記載の薬剤監査装置）により監査することが行われている。
【先行技術文献】
【特許文献】
【０００６】
【特許文献１】特開２０１５−１５３０９８号公報
【発明の概要】
【発明が解決しようとする課題】
【０００７】
ところで、従来、錠剤供給装置、および錠剤供給装置で取り出された錠剤を包装する包装装置は、薬剤監査装置と連動していない、つまり、薬剤監査装置を用いることなく、錠剤供給装置により錠剤シートから処方箋に従った錠剤の取り出しを行っている場合があった。
【０００８】
その場合、錠剤供給装置により、処方箋に従って錠剤シートから錠剤を取り出したときに、錠剤シートに錠剤が残ってしまう場合（以下、その例として、１枚あたり１０錠の錠剤が封入されている錠剤シートの場合に、処方箋に含まれる当該錠剤の総数が２４錠の場合を想定する。その場合３枚の錠剤シートが必要になるが３枚目の錠剤シートは、６錠分残る）であっても、錠剤供給装置を利用するユーザは、特に意識することなく３枚錠剤シートを錠剤取出しユニット１にセットすれば、３枚目の錠剤シートは４錠取り出した後、自動で排出されるため特に問題は発生しない。
【０００９】
しかしながら、薬剤監査装置と錠剤供給装置の両方を使用する場合、ユーザがピッキングした薬剤を薬剤監査装置により監査するときに、先のように４錠しか必要ない３枚目の錠剤シートについては、ユーザは、４錠分を錠剤シートから切り離して薬剤監査装置により監査を実行する。
【００１０】
そうすると、３枚目の錠剤シートは通常の錠剤シートよりも短くなるため、錠剤供給装置内部の錠剤シートをセットして錠剤を取り出す錠剤取出しユニットに当該短い錠剤シートをセットしたとき、錠剤取出しユニットの構造上、錠剤取出しユニット内の錠剤シートからの錠剤取出し位置まで錠剤シートを搬送できない恐れがあった。
【００１１】
より具体的に説明すると、助剤取り出しユニットの錠剤シートがセットされる位置から錠剤取出し位置までの間には、錠剤取出し位置まで錠剤シートを搬送するためのローラーが所定の間隔をあけて複数備えられているが、その間隔が錠剤シート１枚の平均の長さにあわせてあけられているため、通常より短い錠剤シートの場合、ローラーとローラーの間で止まってしまい、錠剤取出しユニットの動作を妨げる恐れがあった。
【００１２】
そのため、通常より短い錠剤シートの場合、その錠剤シートは錠剤取出しユニットにセットすることなく、錠剤シートからユーザが手作業で取り出した錠剤を手撒きマス（錠剤マスとも言う）にセットする必要があるが、手撒きマスに錠剤を投入すべき錠剤シートを、ユーザが誤って錠剤取出しユニットにセットしてしまい、上述したような錠剤取出しユニットの動作を妨げる恐れがあった。
【００１３】
本発明は、監査装置で監査された錠剤シートに、錠剤マスに錠剤を投入すべき錠剤シートが含まれる場合に、当該錠剤シートをユーザに認識させることが可能な仕組みを提供することを目的とする。
【課題を解決するための手段】
【００１４】
本発明は、錠剤を分包する分包手段に錠剤を供給する分包システムであって、処方データに従って錠剤シートから錠剤を取り出して前記分包手段に供給する錠剤取出し手段と、錠剤マスに手撒きされた錠剤を前記分包手段に供給する手撒供給手段と、錠剤シートが処方データ分あるかを監査し、監査結果を出力する出力手段を備える監査装置から出力された監査結果から、当該監査装置で監査した錠剤シートの情報を特定する特定手段と、前記特定手段により特定した錠剤シートの情報から、錠剤マスに手撒きすべき錠剤シートが含まれるか否かを判定する判定手段と、前記判定手段により、錠剤マスに手撒きすべき錠剤シートが含まれると判定された場合に、当該錠剤マスのマス配列を案内するための錠剤マス画面を表示し、前記判定手段により、錠剤マスに手撒きすべき錠剤シートが含まれないと判定された場合に、前記錠剤シートから錠剤を取り出す錠剤取出し手段を選択する選択画面を表示する表示手段とを備えることを特徴とする。
【００１５】
また、本発明は、錠剤を分包する分包手段に錠剤を供給する分包システムであって、処方データに従って錠剤シートから錠剤を取り出して前記分包手段に供給する錠剤取出し手段を備える分包システムの制御方法であって、前記分包システムの手撒き供給手段が、錠剤マスに手撒きされた錠剤を前記分包手段に供給する手撒供給工程と、前記分包システムの特定手段が、錠剤シートが処方データ分あるかを監査し、監査結果を出力する出力手段を備える監査装置から出力された監査結果から、当該監査装置で監査した錠剤シートの情報を特定する特定工程と、前記分包システムの判定手段が、前記特定工程により特定した錠剤シートの情報から、錠剤マスに手撒きすべき錠剤シートが含まれるか否かを判定する判定工程と、前記分包システムの表示手段が、前記判定工程で、錠剤マスに手撒きすべき錠剤シートが含まれると判定された場合に、当該錠剤マスのマス配列を案内するための錠剤マス画面を表示し、前記判定工程で、錠剤マスに手撒きすべき錠剤シートが含まれないと判定された場合に、前記錠剤シートから錠剤を取り出す錠剤取出し手段を選択する選択画面を表示する表示工程とを備えることを特徴とする。
【００１６】
また、本発明は、錠剤を分包する分包手段に錠剤を供給する分包システムで読み取り実行可能なプログラムであって、前記分包システムを、処方データに従って錠剤シートから錠剤を取り出して前記分包手段に供給する錠剤取出し手段と、錠剤マスに手撒きされた錠剤を前記分包手段に供給する手撒供給手段と、錠剤シートが処方データ分あるかを監査し、監査結果を出力する出力手段を備える監査装置から出力された監査結果から、当該監査装置で監査した錠剤シートの情報を特定する特定手段と、前記特定手段により特定した錠剤シートの情報から、錠剤マスに手撒きすべき錠剤シートが含まれるか否かを判定する判定手段と、前記判定手段により、錠剤マスに手撒きすべき錠剤シートが含まれると判定された場合に、当該錠剤マスのマス配列を案内するための錠剤マス画面を表示し、前記判定手段により、錠剤マスに手撒きすべき錠剤シートが含まれないと判定された場合に、前記錠剤シートから錠剤を取り出す錠剤取出し手段を選択する選択画面を表示する表示手段として機能させることを特徴とする。
【発明の効果】
【００１７】
本発明によると、監査装置で監査された錠剤シートに、錠剤マスに錠剤を投入すべき錠剤シートが含まれる場合に、当該錠剤シートをユーザに認識させることが可能となる。
【図面の簡単な説明】
【００１８】
【図１】情報処理システムの構成の一例を示すシステム構成図。
【図２】情報処理装置４００、薬剤監査装置１００３のハードウェア構成の一例を示すハードウェア構成図。
【図３】分包システムのハードウェア構成の一例を示すハードウェア構成図。
【図４】情報処理装置４００から、各システムに対して処方箋データを送信するフローの一例を示す図。
【図５】薬剤監査装置１００３、および情報処理装置３００内で記憶されている処方箋データの一例を示す図。
【図６】薬剤監査装置１００３および印刷装置１００２により行われる薬剤の監査処理の一例を示す図。
【図７】印刷装置１００２により印刷される監査レシートの一例を示す図。
【図８】情報処理装置３００、および包装装置５により行われる包装前処理の一例を示す図。
【図９】情報処理装置３００のディスプレイ３４に表示される受信データ画面の一例を示す図。
【図１０】情報処理装置３００のディスプレイ３４に表示される予約画面の一例を示す図。
【図１１】情報処理装置３００のディスプレイ３４に表示される処方編集画面の一例を示す図。
【図１２】情報処理装置３００のディスプレイ３４に表示される環境設定画面の一例を示す図。
【図１３】情報処理装置３００により行われる処方データ設定処理の一例を示す図。
【図１４】包装装置５により行われる包装処理の一例を示す図。
【図１５】処方箋データ選択画面の一例を示す図。
【図１６】情報処理装置３００のディスプレイ３４に表示されるスキャンエラー画面の一例を示す図。
【図１７】情報処理装置３００により行われる処方データ設定処理の一例を示す図。
【図１８】情報処理装置３００のディスプレイ３４に表示される手撒きマス設定画面の一例を示す図。
【図１９】ステップＳ８０９において情報処理装置３００のディスプレイ３４に表示されるエラー画面の一例を示す図。
【発明を実施するための形態】
【００１９】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００２０】
以下、本発明の情報処理システムの一実施形態について、添付図面を参照して詳細に説明する。
【００２１】
図１は、本発明における、情報処理システムの構成の一例を示すシステム構成図である。
【００２２】
本発明における情報処理システムは、分包システム、薬剤監査システム、そして、インターネットなどのネットワークに接続されており、ネットワークを介してこれら２つのシステムとデータ通信可能な情報処理装置４００からなる。
【００２３】
分包システムは、錠剤シート（ＰＴＰシートともいう）から錠剤を取り出し、包装装置５に取り出した錠剤を供給する錠剤供給装置１０と、錠剤供給装置１０から供給された錠剤、ユーザが手撒きした錠剤、そして、散薬を包装する包装装置５と、それに接続されている情報処理装置３００、さらに情報処理装置３００と接続されているコードリーダー１００１を含む。
【００２４】
薬剤監査システムは、薬剤監査装置１００３と、それに接続されている印刷装置１００２を含む。
【００２５】
図１において、錠剤供給装置１０は、錠剤取出しユニット１を備える。錠剤取出ユニット１は、錠剤シートから錠剤を取り出すユニットである。錠剤シートは、一般的にＰＴＰシートと呼ばれており、錠剤シートのことをＰＴＰシートとも言う。
【００２６】
錠剤シートは、錠剤を収容する錠剤収容部を有するシート本体の下面に、アルミニウム等からなる金属箔などを用いた封止シートを設けることによって錠剤が錠剤収容部に密封されたものである。
【００２７】
錠剤供給装置１０には複数の錠剤取出ユニット１が収納されており、錠剤取出ユニット１は、幅方向（左右方向）に６つ並べられ、この６つの錠剤取出ユニット１からなる組が上下に３段に配置されている。
【００２８】
錠剤取出ユニット１は、本発明の処方データに従って錠剤シートから錠剤を取り出して前記分包手段に供給する錠剤取出し手段の適用例である。
【００２９】
なお、本実施形態では、錠剤供給装置１０は複数の錠剤取出ユニット１を備えているが、錠剤取出ユニット１の数は１つでもよい。
【００３０】
錠剤供給装置１０は、１つまたは複数の錠剤取出ユニット１の他に、錠剤取出ユニット１で取り出された錠剤を供給する錠剤供給ユニット５００を備えている。
【００３１】
錠剤供給装置１０は、錠剤取出ユニット１により錠剤シート（ＰＴＰシート）から錠剤を取り出して、錠剤供給ユニット５００の供給経路を経て、包装装置５に供給する。
【００３２】
包装装置５は、錠剤供給装置１０の錠剤取出ユニット１から供給された錠剤を包装する装置であり、散薬投入部１０３、ディスプレイ１０１、手撒きマス１０５、メインホッパー５０５等を備える。
【００３３】
散薬投入部１０３には、分包される散薬が投入される。
【００３４】
散薬投入部１０３に投入された散薬は、投薬１回分に分けて、分けられた１回分の散薬が後述するメインホッパー５０５に入れられ、１回分ずつに分包される。
【００３５】
手撒きマス１０５は、当該手撒きマス１０５に投入された錠剤を落下させて包装装置５により包装するためのマスである。手撒きマス１０５には、錠剤シートから手作業で取り出した錠剤をユーザが１マスずつ撒く。
【００３６】
手撒きマス１０５は、本発明における錠剤マスに手撒きされた錠剤を前記分包手段に供給する手撒供給手段の一例である。
【００３７】
ディスプレイ１０１は、処方データの入力、処理の選択をユーザから受け付ける画面を表示する。
【００３８】
情報処理装置３００は、錠剤供給装置１０及び包装装置５の外部に設けられており、錠剤供給装置１０及び包装装置５と通信可能に接続されている。
【００３９】
情報処理装置３００には、パーソナルコンピュータやタブレット端末が用いられ、主に錠剤取出ユニット１が取り出す錠剤シートに関する情報を、薬品マスタを用いて管理したり、ユーザ操作に従い包装装置５に対して処方箋に従った薬剤の包装指示を行ったりする。
【００４０】
情報処理装置４００は、本システムの上位にあるシステムであり、ここではレセプトコンピュータ等を指す。情報処理装置４００にユーザから入力された処方箋内容を、分包システムおよび薬剤監査システムへそれぞれ出力する。
【００４１】
薬剤監査システムは、調剤薬局内で薬剤棚から作業者がピッキングした薬剤を監査するシステムである。薬剤監査装置１００３は、一般的な監査装置を示しており、薬剤の重さを計測する機能を備え、最低限の薬剤取り間違えや薬剤計量、監査結果を印刷装置１００２に対して印刷指示することで、監査結果をレシートに印字できる。
【００４２】
次に、図２のブロック図を用いて、情報処理装置４００、薬剤監査装置１００３として適用可能なコンピュータのハードウェア構成の一例を示すハードウェア構成図について説明する。
【００４３】
ＣＰＵ２０１は、システムバス２０４に接続される後述の各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００４４】
ＣＰＵ２０１は、処理の実行に際して必要なプログラム等をＲＡＭ２０３にロードして、プログラムを実行することで各種動作を実現するものである。また、入力コントローラ（入力Ｃ）２０５は、入力デバイス２０９や不図示のマウス等のポインティングデバイスからの入力を制御する。ビデオコントローラ（ＶＣ）２０６は、ディスプレイ２１０等の表示装置への表示を制御する。ディスプレイ装置は、例えばＣＲＴディスプレイや液晶ディスプレイ等である。これらは必要に応じて管理者が使用するものである。本発明には直接関係があるものではない。
【００４５】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュメモリ等の外部メモリ２１１へのアクセスを制御する。
【００４６】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００４７】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００４８】
本発明の各種処理を実行するために用いられるプログラムは外部メモリ２１１に記録されており、必要に応じてＲＡＭ２０３にロードされることによりＣＰＵ２０１によって実行されるものである。さらに、本発明に係わるプログラムが用いる定義ファイルや各種情報テーブルは外部メモリ２１１に格納されている。
【００４９】
次に、図３のブロック図を用いて、分包システムのハードウェア構成の一例について説明する。
【００５０】
図３は、本発明の実施形態における分包システムのハードウェア構成の一例を示すハードウェア構成図である。
【００５１】
ここでは、情報処理装置３００のＣＰＵ３０と、包装装置５のＣＰＵ５１と、錠剤供給装置１０のＣＰＵ１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。また、ここでは錠剤供給装置１０にＣＰＵが１つ設けられている状態を図示しているが、錠剤取出しユニット１ごとにＣＰＵを設けてもよいし、錠剤取出しユニット１の段ごとにＣＰＵを設けてもよい。
【００５２】
まず情報処理装置３００のハードウェア構成について説明する。情報処理装置３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００５３】
また、ＣＰＵ３０は、キーボードや不図示のマウス等の入力端末３５からの入力を制御する。ビデオコントローラ（ＶＣ）２０６は、ディスプレイ３４等の表示器への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュ（登録商標）メモリ等の外部メモリ３６へのアクセスを制御することもできる。
【００５４】
またＩ／Ｆ３２は、ネットワークを介して外部機器と接続・通信するものであり、本実施形態においては包装装置５のＩ／Ｆ５０と通信可能に接続されている。
【００５５】
次に、包装装置５のハードウェア構成について説明する。包装装置５のＣＰＵ５１は、バスに接続されている各デバイスを統括的に制御することができる。ＲＯＭ５２にはＣＰＵ５１の制御ブログラムや各種制御プログラムが記憶されている。ＲＡＭ５３は、ＣＰＵ５１が動作するためのシステムワークメモリとして機能する。ＣＰＵ５１は、タッチパネル式のディスプレイ１０１に対して表示制御したり、ディスプレイ１０１のタッチパネル機能を入力端末５０２としてユーザから情報の入力を受け付けたり、プリンタ７０６に印刷指示を出したりすることもできる。さらにＣＰＵ５１は、包装装置５の散薬投入部１０３から投入された散薬を１包に包装する際に動作させる散薬分包機構５５を制御したり、ユーザから手撒き投入部１０２に手撒きされた錠剤を包装する際に動作させる手撒き投入機構５６を制御したりすることができる。そして包装装置５と錠剤供給装置１０とは、包装装置５のＩ／Ｏ５４と錠剤供給装置１０のＩ／Ｏ１２とで通信可能に接続されている。
【００５６】
次に、錠剤供給装置１０のハードウェア構成について説明する。錠剤供給装置１０のＣＰＵ１１は、バスに接続されている各デバイスを統括的に制御することができる。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに錠剤取出機構１５における錠剤の取出動作を制御したり、錠剤シートを搬送する搬送機構１６を制御したりすることもできる。
【００５７】
このようなハードウェア構成においては、以下のように錠剤取出を行うように制御することができる。まず包装装置５のＣＰＵ５１が、錠剤供給装置１０のＣＰＵ１１に対して、錠剤の取出動作命令を送信する。そして、錠剤供給装置１０のＣＰＵ１１が、当該取出動作命令に従って、錠剤取出機構１５や搬送機構１６を制御して錠剤取出動作を行わせることができる。また、錠剤供給装置１０のＣＰＵ１１は、包装装置５のＣＰＵ５０に対して、錠剤取出動作の状況を示す動作情報を送信することもできる。
【００５８】
では、ここから本発明の情報処理システムにおいて、各装置により実行される処理について説明する。
【００５９】
なお、本発明の実施形態における各処理の詳細は図４以降で説明するが、その前に、本発明の実施形態において、ユーザが処方箋を情報処理装置４００に取り込んでから、包装装置５により薬剤の包装を行うまでの一連の流れについて説明する。
【００６０】
ユーザは、まず情報処理装置４００上にて、処方箋データを入力して薬剤監査装置１００３、情報処理装置３００への送信指示を行う。
【００６１】
次に、情報処理装置４００から処方箋データを受け取った薬剤監査装置１００３、情報処理装置３００は、受け取った処方箋データを記憶する。
【００６２】
次に、ユーザは、（本実施例では、患者ＩＤ：１２３４５（テスト太郎  分１ねる前  ４日分）の処方を調剤することとする）、調剤を行う処方箋データに含まれる薬剤を、調剤棚より必要な数量ピッキングする。
【００６３】
次に、ユーザは、薬剤監査システムを使い監査作業を行う。具体的には、薬剤監査装置１００３上で、患者（患者ＩＤ：１２３４５  テスト太郎  分１ねる前  ４日分）を呼び出して、ピッキングしてきた薬剤が処方箋データの内容と正しいか（薬剤種類や数量など）を監査する。
【００６４】
監査終了後、薬剤監査装置１００３と接続する印刷装置１００２により、監査レシートが出力される。監査レシートには１次元コードが印字されており、１次元コードには患者ＩＤ１２３４５が含まれている。
【００６５】
ユーザは、薬剤と監査レシートを分包システムまで持っていき、監査レシートをコードリーダー１００１に読み取らせると、コードリーダー１００１と接続する情報処理装置３００は患者ＩＤ１２３４５の処方箋データを、情報処理装置４００から受け取った処方箋データから特定する。
【００６６】
そして、特定した処方箋データが１つであれば、包装装置５および錠剤供給装置１０により薬剤を分包する処方箋データとして設定し、２つ以上であればいずれの処方箋データの包装動作を行うかユーザに選択させる。
【００６７】
その後、ユーザがピッキングした薬剤を包装装置５または錠剤供給装置１０にセットした後、包装装置５のスタートボタンがユーザにより押下されると、包装動作を開始する。
作業者は、５４０１より患者ＩＤ：１２３４５（テスト太郎  分１ねる前  ４日分）の処方箋データを
【００６８】
以上が、本発明の実施形態において、ユーザが処方箋を情報処理装置４００に取り込んでから、包装装置５により薬剤の包装を行うまでの一連の流れである。
【００６９】
では、ここから上記処理の詳細な説明について、図４以降の図を用いて説明する。
まず、図４について説明する。
【００７０】
図４は、分包システムおよび薬剤監査システムの上位システムである情報処理装置４００から、各システムに対して処方箋データを送信するフローの一例を示す図である。
【００７１】
図４に示すフローチャートの各ステップの処理は、情報処理装置４００のＣＰＵ２０１、薬剤監査装置１００３のＣＰＵ２０１、錠剤取出し装置のＣＰＵ１１により実行され、実現される。
【００７２】
ステップＳ４０１において、情報処理装置４００は、ユーザから患者の処方箋の内容（患者名、処方された薬剤の種類、服用タイミング、服用日数、薬剤の数または量等）の入力を受け付け、ユーザからの送信指示を受け付けると、ステップＳ４０１で入力された処方箋の内容（以下、処方箋データと呼ぶ）を薬剤監査装置１００３および情報処理装置３００に送信する。
【００７３】
ステップＳ４０２で、情報処理装置４００から薬剤監査装置１００３および情報処理装置３００に送信される処方箋データとは、例えば図５に示す処方箋データである。
【００７４】
ここで、図５を用いて、ステップＳ４０２で、情報処理装置４００から薬剤監査装置１００３および情報処理装置３００に送信される処方箋データについて説明する。
【００７５】
図５は、情報処理装置４００から薬剤監査装置１００３および情報処理装置３００に送信され、薬剤監査装置１００３、および情報処理装置３００内で記憶されている処方箋データの一例を示す図である。
処方箋データ５０１には、患者ＩＤ、名前、用法等がある。ここでは簡素化した表記をしているが、さらにそれぞれの処方箋データには薬剤情報等が含まれる。
【００７６】
図５の例では、処方箋データの例として、患者ＩＤ：１２３４５（テスト太郎  分３毎食後  ７日分）、患者ＩＤ：２３４５６（テスト次郎  分１朝食後  １４日分）、患者ＩＤ：３４５６７（テスト三郎  分２朝夕食後  ７日分）、患者ＩＤ：４５６７８（テスト四朗  分３毎食後  １４日分）、患者ＩＤ：５６７８９（テスト五郎  分４毎食後ねる前  ７日分）、患者ＩＤ：１２３４５（テスト太郎  分１ねる前  ４日分）、の６つの処方箋データが記憶されている。
【００７７】
５０２は、後述する図１３のステップＳ１３０１において、５０１より患者ＩＤが１２３４５の処方箋データを抽出した結果を表している。本内容を元に、処方箋データリスト１５０１に表示する。
【００７８】
以上で、図５の説明を終了し、図４の説明に戻る。
【００７９】
ステップＳ４０３において、薬剤監査装置１００３は、ステップＳ４０２で情報処理装置４００から送信された処方箋データを受信したか否かを判定し、受信したと判定された場合に、ステップＳ４０４において、薬剤監査装置１００３の外部メモリ２１１に記憶する。
【００８０】
そして、ステップＳ４０５において、薬剤監査装置１００３は、監査処理を実行する。ステップＳ４０５の監査処理の詳細は、後述する図６を用いて説明する。
【００８１】
ステップＳ４０６において、情報処理装置３００は、ステップＳ４０２で情報処理装置４００から送信された処方箋データを受信したか否かを判定し、受信したと判定された場合に、ステップＳ４０７において、情報処理装置３００の外部メモリ２１１に記憶する。
【００８２】
ステップＳ４０６は、本発明における処方データと、前記処方データが処方された患者を示す患者情報とを、前記処方データごとに関連付けて管理する管理手段の一例である。
【００８３】
そして、ステップＳ４０８において、情報処理装置３００は、包装前処理を実行する。ステップＳ４０８の監査処理の詳細は、後述する図８を用いて説明する。
【００８４】
以上で図４の説明を終了し、次に図６を用いてステップＳ４０５の処理の詳細について説明する。
【００８５】
図６は、薬剤監査装置１００３および印刷装置１００２により行われる薬剤の監査処理の一例を示す図であり、ステップＳ４０５の処理の詳細を示す図である。
【００８６】
図６に示すフローチャートの各ステップの処理は、薬剤監査装置１００３のＣＰＵ２０１、印刷装置１００２のＣＰＵにより実行され、実現される。
【００８７】
本フローを実行する前に、作業者（薬剤師等）はこれから分包システムにより包装する処方箋の内容に従った薬剤を薬剤棚よりピッキングしているものとする。
【００８８】
ステップＳ６０１において、薬剤監査装置１００３は、作業者がピッキングした薬剤と処方箋データの内容が一致しているかを監査する。
【００８９】
具体的には、まず薬剤監査装置１００３のディスプレイ２１０に、薬剤監査装置１００３の外部メモリ２１１に記憶した処方箋データ（図５）の一覧を表示し、これから監査する処方箋データの指定を受け付ける。
【００９０】
次に、その指定を受け付けた処方箋データに含まれる薬剤と作業者がピッキングした薬剤とが一致するかを監査する。
【００９１】
薬剤の監査の方法としては、薬剤監査装置１００３は、各薬剤の重さ（各薬剤の錠剤シート１枚の重さや、錠剤の場合は、１錠あたりの重さ等）を薬品マスタで管理しているため、処方箋データに含まれる薬剤の重さの合計とピッキングした薬剤の重さを比較することで、薬剤を取り間違えていないかを監査する。
【００９２】
そして、ステップＳ６０２において、薬剤監査装置１００３は、ステップＳ６０１における監査結果を示す監査レシートを印刷装置１００２に対して印刷指示し、ステップＳ６０３において、印刷指示を受信した印刷装置１００２は、監査レシートを印刷する（ステップＳ６０４）。
【００９３】
ステップＳ６０４において、印刷装置１００２により印刷される監査レシートとは、例えば、図７に示す監査レシートである。
【００９４】
以上で、図６の説明を終了し、次に図７を用いて、監査レシートについて説明する。
【００９５】
図７は、ステップＳ６０４において、印刷装置１００２により印刷される監査レシートの一例を示す図である。
【００９６】
監査レシートには、監査を行った処方箋データに含まれる患者ＩＤや患者名、実際の処方箋データに基づいた薬剤の監査結果（薬品種別や秤量値）など印刷される。
【００９７】
１次元コード７０１には、監査を行った処方箋データに含まれる患者ＩＤが含まれる。なお、本実施例では１次元コードを例にしているが、他の実施例として、２次元コードを印字しても良い。
【００９８】
また、本実施例では、１次元コードには、患者ＩＤのみが含まれているが、他の実施例として監査を行った処方箋データに含まれる患者名や処方箋データを含んでも良い。
【００９９】
以上で図７の説明を終了し、次に図８を用いてステップＳ４０８の処理の詳細について説明する。
【０１００】
図８は、情報処理装置３００、および包装装置５により行われる包装前処理の一例を示す図であり、ステップＳ４０８の処理の詳細を示す図である。
【０１０１】
図８に示すフローチャートの各ステップの処理は、情報処理装置３００のＣＰＵ３０、包装装置５のＣＰＵ５１により実行され、実現される。
【０１０２】
ステップＳ８０１において、情報処理装置３００は、ステップＳ４０７で外部メモリ２１１に記憶した処方箋データを、図９に示す受信データ画面中の受信データリスト９０６として、情報処理装置３００のディスプレイ３４に表示する。
【０１０３】
では、ここで、ステップＳ８０１において情報処理装置３００のディスプレイ３４に表示される受信データ画面について図９を用いて説明する。
【０１０４】
図９は、情報処理装置３００のディスプレイ３４に表示される受信データ画面の一例を示す図である。
【０１０５】
９０１は、受信データリスト９０６で選択されている処方箋データを、後述する図１０の予約画面中の予約リスト１０１１に登録させる予約ボタンである。
【０１０６】
９０２は、受信データリスト９０６で選択されている処方箋データを、後述する図１１の処方編集画面に表示させるボタンであり、９０２のボタンがユーザ操作に従って押下されると、図１１の処方編集画面を情報処理装置３００のディスプレイ３４に表示する。
【０１０７】
９０３は、後述する図１２の環境設定画面を情報処理装置３００のディスプレイ３４に表示させるボタンである。
【０１０８】
９０４は、受信データ画面を表示するボタンであり、図１０の予約画面、図１１の処方編集画面、および図１２の環境設定画面から受信データ画面に戻るためのボタンである。
【０１０９】
９０５は、予約画面（図１０）を情報処理装置３００のディスプレイ３４に表示するボタンである。
【０１１０】
受信データリスト９０６は、情報処理装置４００より送られた処方箋データを表示するリストであり、ユーザによるマウス等の操作に従ってリストの中から処理の対象となる処方箋データを選択することが可能である。
【０１１１】
スタートボタン９０７は、後述する図１０の予約リスト１０１１に最上位に登録されている処方箋データを包装装置５へ送信し、処方箋データに従った内容で包装装置５による包装を開始させるボタンである。
以上で図９の説明を終了し、次に、図１０の予約画面、図１１の処方編集画面、および図１２の環境設定画面について説明する。
【０１１２】
まず、図１０の予約画面について説明する。
【０１１３】
図１０は、情報処理装置３００のディスプレイ３４に表示される予約画面の一例を示す図である。
【０１１４】
１０１１は、図９の受信データリスト９０６の中から処方箋データの選択を受け付けた後、図９の予約ボタン９０１が押下されることで、受信データリスト９０６の中から選択された処方箋データが予約リストとして登録され、１０１１にリスト表示される。
【０１１５】
なお、後述する図１３の処理において、監査レシートを読み込むことによって自動的に予約設定された処方箋データも１０１１にリスト表示される。
【０１１６】
１０１２は、図９の受信データ画面を表示するボタンであり、図９の９０４のボタンと同じ機能を持つボタンである。
【０１１７】
１０１３は、予約画面を表示するボタンであり、図９の９０５のボタンと同じ機能を持つボタンである。
【０１１８】
スタートボタン１０１４は、予約リスト１０１１に最上位に登録されている処方箋データを包装装置５へ送信し、処方箋データに従った内容で包装装置５による包装を開始させるボタンである。
【０１１９】
以上で、図１０の説明を終了し、次に、図１１の処方編集画面について説明する。
【０１２０】
図１１は、情報処理装置３００のディスプレイ３４に表示される処方編集画面の一例を示す図である。
【０１２１】
図９の受信データリスト９０６の中から処方箋データの選択を受け付けた後、図９の９０２のボタンがユーザにより押下されることで、図１１の処方編集画面において、選択を受け付けた処方箋データの内容を編集することが可能となる。
【０１２２】
なお、錠剤取出しユニット１により錠剤シートから錠剤を取り出す場合には、処方編集画面からユーザが錠剤取出しユニット１の選択を行うことが出来る。
【０１２３】
ただ、処方箋データの内容に錠剤が含まれるかは、情報処理装置３００が自動で特定できるので、処方箋データの内容に錠剤が含まれる場合に、当該錠剤を封入した錠剤シートをセットすべき錠剤取出しユニット１を情報処理装置３００が自動で設定しても良い。
【０１２４】
１１０１は、処方編集画面に表示されている内容を確定する確定ボタンである。確定ボタン１１０１がユーザにより押下されることにより、処方編集画面を介して編集された処方箋データの内容を確定後、図９の受信データ画面へ遷移する。
【０１２５】
１１０２は、処方編集画面を介して編集された処方箋データの内容をキャンセルするキャンセルボタンである。キャンセル１１０２がユーザにより押下されることにより、処方編集画面を介して編集された処方箋データの内容をキャンセル後、図９の受信データ画面へ遷移する。
【０１２６】
以上で図１１の説明を終了し、次に、図１２の環境設定画面について説明する。
【０１２７】
図１２は、情報処理装置３００のディスプレイ３４に表示される環境設定画面の一例を示す図である。
【０１２８】
環境設定画面は、情報処理装置３００の設定をユーザから受け付ける画面である。
【０１２９】
設定された内容は、後述する図１３のステップＳ１３１１やステップＳ１３１２で判断されるものである。
【０１３０】
図１２の画面上の１２０１〜１２０３はラジオボタンになっており、予約１２０１と、編集１２０２と、何もしない１２０３の内１つの選択をユーザから受け付ける。
【０１３１】
１２０１が選択されると、後述する図１３の処理において、監査レシートを読み込むことによって特定された処方箋データが１つであった場合に、その処方箋データが自動的に予約リスト１０１１に登録されるように設定される。
【０１３２】
１２０２が選択されると、後述する図１３の処理において、監査レシートを読み込むことによって特定された処方箋データが１つであった場合に、その処方箋データが自動的に図１１の処方編集画面に設定され、表示されるように設定される。
【０１３３】
１２０３が選択されると、後述する図１３の処理において、監査レシートを読み込むことによって特定された処方箋データが１つであった場合に、当該処方箋データに対して何も処理を行わないように設定される。
【０１３４】
１２０４は、環境設定画面において設定された内容（１２０１〜１２０３のいずれかが選択された情報）を保存する保存ボタンである。１２０５は、環境設定画面を閉じるボタンである。
【０１３５】
なお、図１２の環境設定画面を介してユーザが環境設定を行っていない場合、デフォルトの設定としては、１２０１が選択されているものとして設定する。
【０１３６】
以上で図１２の説明を終了し、図８の説明に戻る。
【０１３７】
ステップＳ８０２において、情報処理装置３００は、図７に示す監査レシートがスキャンされたか否かを判断する。監査レシートがスキャンされたならば、情報処理装置３００は、ステップＳ８０３に処理を移行し、監査レシートがスキャンされなければ、ステップＳ８０４に処理を移行する。監査レシートのスキャンは、ユーザが情報処理装置３００と接続されるコードリーダー１００１により、監査レシートの１次元コードを読み取ることによりスキャンされる。
【０１３８】
ステップＳ８０２は、本発明における、薬剤の数又は量が処方データに示される数又は量分あるかを監査し、前記処方データが処方された患者を示す患者情報を含む監査結果を出力する監査装置から出力された監査結果に含まれる患者情報を読み取る読取手段の一例である。
【０１３９】
ステップＳ８０３において、情報処理装置３００は、処方データ設定処理を行う。ステップＳ８０３の処理の詳細については、後述する図１３で説明する。
【０１４０】
ステップＳ８０４において、情報処理装置３００は、ステップＳ８０２で情報処理装置３００のディスプレイ３４に表示した図９の受信データ画面を介して、ユーザ操作を受け付ける。
【０１４１】
ステップＳ８０５において、情報処理装置３００は、ステップＳ８０４でユーザから受け付けた操作が、処方箋データの予約指示（受信データリスト９０６の中から処方箋データの選択を受け付けた後、予約ボタン９０１がユーザにより押下される操作）であるか否かを判定する。
【０１４２】
情報処理装置３００は、処方箋データの予約指示であれば、ステップＳ８０７に処理を移行し、処方箋データの指示でなければステップＳ８０６に処理を移行する。
【０１４３】
ステップＳ８０６において、情報処理装置３００は、ユーザ操作に従って、図１１に示す処方編集画面の表示を行う処理、および、処方編集画面を介してユーザから指示を受け付ける処理や、図１２に示す環境設定画面の表示する処理、および環境設定画面を介してユーザから指示を受け付ける処理などを実行する。
【０１４４】
ステップＳ８０７において、情報処理装置３００は、予約指示を受け付けた処方箋データの監査レシートが、ステップＳ８０２において、すでにスキャン済みであるか否かを判断する。
【０１４５】
情報処理装置３００は、予約指示を受け付けた処方箋データの監査レシートが、ステップＳ８０２においてすでにスキャン済みである場合には、ステップＳ８０８に処理を移行し、予約指示を受け付けた処方箋データの監査レシートがステップＳ８０２において、すでにスキャン済みでなければステップＳ８０９に処理を移行する。
【０１４６】
ステップＳ８０７において、予約指示を受け付けた処方箋データの監査レシートがステップＳ８０２において、すでにスキャン済みであると判定される場合とは、例えば、後述する図１３のステップＳ１３１２において、処方箋編集画面でユーザが処方箋データを編集した後、図９の受信データ画面を再度表示させ、その後、その編集した処方箋データをユーザが選択して、図９の予約ボタン９０１を押下することで、その編集した処方箋データを１０１１のリストに登録した場合である。
【０１４７】
ステップＳ８０７において、予約指示を受け付けた処方箋データの監査レシートがステップＳ８０２において、すでにスキャン済みでないと判定される場合とは、ステップＳ８０２で処方箋データの監査レシートをスキャンすることなく、図９の受信データ画面から、当該処方箋データをユーザが選択して、図９の予約ボタン９０１を押下することで、当該処方箋データを１０１１のリストに登録しようとした場合である。
【０１４８】
ステップＳ８０８において、情報処理装置３００は、予約指示を受け付けた処方箋データを図１０の予約画面中の予約リスト１０１１に登録させる。
【０１４９】
ステップＳ８０９において、情報処理装置３００は、図１９に示すような、エラー画面を情報処理装置３００のディスプレイ３４に表示する。
【０１５０】
ステップＳ８１０において、情報処理装置３００は、スタートボタン（図９の９０４または図１０の１０１４）がユーザにより押下されたか否かを判定する。情報処理装置３００は、スタートボタンがユーザにより押下されたと判定された場合には、予約リスト１０１１に最上位に登録されている処方箋データを包装装置５へ送信し、スタートボタン（図９の９０４または図１０の１０１４）がユーザにより押下されていないと判定された場合には、ステップＳ８０２に処理を戻す。
【０１５１】
ステップＳ８１１において、包装装置５は、処方箋データに従って包装動作を実行する。ステップＳ８１１の処理の詳細については、後述する図１４で説明する。
【０１５２】
なお、本実施例中のステップＳ８０１、ステップＳ８０４、ステップＳ８０５、ステップＳ８０８の処理は従来から行われていた処理であるが、従来の処理では、ステップＳ８０１で表示した図９の受信データ画面中の受信データリスト９０６に数多くの患者の処方箋データが表示される場合に、ユーザが調剤を行いたい処方箋データを目で見て探し出す必要があり非常に手間がかかっていた。
【０１５３】
そこで、本発明では、図８のステップＳ８０２で監査レシートを読み取り、後述する図１３の処理で、監査レシートに含まれる患者ＩＤをもとに処方箋データを特定することで、ユーザによる処方箋データの特定処理に係る手間を削減する。
【０１５４】
また、本実施例では、ステップＳ８０７において、情報処理装置３００は、ステップＳ８０５で予約指示を受け付けた処方箋データの監査レシートがすでにスキャン済みであるか否かを判断するとしたが、ステップＳ８０７およびステップＳ８０９の処理は必須の処理ではない。
【０１５５】
ただ、ステップＳ８０７において、予約指示を受け付けた処方箋データの監査レシートがすでにスキャン済みであるか否かを判断することにより、監査を行った処方箋データに含まれる薬剤だけを包装装置５により包装することが可能となる、つまり監査されていない処方箋データに従った包装動作が包装装置５により実行される可能性を低減する事が可能となる。
【０１５６】
監査されていない処方箋データに従った包装動作が包装装置５により実行される可能性を低減する事が可能となるということは、逆に言えば、監査済みの処方箋データに従った包装装置５による包装動作が行われることになるため、処方箋データと異なる薬剤の包装が包装装置５により実行される可能性を低減する事が可能となるという格別の効果を奏することができる。
【０１５７】
以上で図８の説明を終了し、次に、図１３を用いて、ステップＳ８０３の処理の詳細について説明する。
【０１５８】
図１３は、情報処理装置３００により行われる処方データ設定処理の一例を示す図であり、ステップＳ８０３の処理の詳細を示す図である。
【０１５９】
図１３に示すフローチャートの各ステップの処理は、情報処理装置３００のＣＰＵ３０により実行され、実現される。
【０１６０】
ステップＳ１３０１において、情報処理装置３００は、監査レシートの１次元コードを読み取ることにより得えられる、薬剤監査装置１００３により監査を行った処方箋データに含まれる患者ＩＤと、図４のステップＳ４０７において、情報処理装置３００の外部メモリ２１１に記憶した図５の処方箋データの患者ＩＤの項目とを比較し、患者ＩＤが一致する処方箋データを抽出する。
【０１６１】
ステップＳ１３０１は、本発明における記管理手段で管理する複数の処方データのうち、前記読取手段により読み取られた患者情報に関連付けられて管理された処方データを取得する取得手段の一例である。
【０１６２】
なお、図５の５０２は、監査レシートの１次元コードを読み取ることにより患者ＩＤ１２３４５が得られた場合に、図５の処方箋データから患者ＩＤ１２３４５の処方箋データを抽出した結果を示す例である。
【０１６３】
ステップＳ１３０２において、情報処理装置３００は、ステップＳ１３０１の結果、処方箋データが１件以上抽出されたか否かを判定する。
【０１６４】
情報処理装置３００は、ステップＳ１３０１の結果、処方箋データが１件以上抽出されたと判定した場合には、ステップＳ１３０４に処理を移行し、ステップＳ１３０１の結果、処方箋データが１件も抽出できなかったと判定した場合には、ステップＳ１３０３において、情報処理装置３００のディスプレイ３４に、図１６に示す、監査レシートから得られる患者ＩＤと患者ＩＤが一致する処方箋データが情報処理装置３００の外部メモリ２１１に記憶されていない旨のスキャンエラー画面を表示する。
【０１６５】
そして、図１６の閉じるボタン１６０１がユーザにより押下されると、再度、情報処理装置３００のディスプレイ３４に、図９の受信データ画面を表示する。
【０１６６】
ステップＳ１３０４において、情報処理装置３００は、ステップＳ１３０１の結果、処方箋データが１件だけ抽出されたか否かを判定する。
【０１６７】
情報処理装置３００は、ステップＳ１３０１の結果、処方箋データが１件だけ抽出されたならば、ステップＳ１３１１に処理を移行し、ステップＳ１３０１の結果、処方箋データが２件以上抽出されたならば、ステップＳ１３０５に処理を移行する。
【０１６８】
ステップＳ１３０５において、情報処理装置３００は、ステップＳ１３０１の結果を基に、図１５に示す処方箋データ選択画面を表示する。
【０１６９】
ここで、図１５に示す処方箋データ選択画面について説明する。
【０１７０】
図１５は、情報処理装置３００のディスプレイ３４に表示される処方箋データ選択画面の一例を示す図である。
【０１７１】
処方箋データリスト１５０１は、図５の処方箋データのうち、監査レシートの１次元コードに含まれる患者ＩＤと患者ＩＤが一致する複数の処方箋データをリスト表示する。
【０１７２】
登録ボタン１５０２は、処方箋データリスト１５０１の中から、ユーザ操作に従って選択された処方箋データを図１０の予約リスト１０１１へ登録するボタンである。
【０１７３】
編集ボタン１５０３は、処方箋データリスト１５０１の中から、ユーザ操作に従って選択された処方箋データを、図１１の処方編集画面に表示させるボタンである。
【０１７４】
閉じるボタン１５０４は、処方箋データ選択画面を閉じるボタンである。
【０１７５】
ステップＳ１３０６において、情報処理装置３００は、図１５の処方箋データ選択画面中の登録ボタン１５０２がユーザにより押下されたかを判定する。
【０１７６】
情報処理装置３００は、登録ボタン１５０２がユーザにより押下されたと判定した場合には、ステップＳ１３０７において、処方箋データリスト１５０１の中から、ユーザ操作に従って選択された処方箋データを図１０の予約リスト１０１１へ登録したあと図８のステップＳ８０１に処理を戻し、登録ボタン１５０２がユーザにより押下されていないと判定した場合には、ステップＳ１３０８に処理を移行する。
【０１７７】
ステップＳ１３０８において、情報処理装置３００は、図１５の処方箋データ選択画面中の編集ボタン１５０３がユーザにより押下されたかを判定する。
【０１７８】
情報処理装置３００は、編集ボタン１５０３がユーザにより押下されたと判定した場合には、ステップＳ１３０９において、処方箋データリスト１５０１の中から、ユーザ操作に従って選択された処方箋データを、図１１の処方編集画面に表示させ、編集ボタン１５０３がユーザにより押下されていないと判定した場合（つまり、閉じるボタン１５０４がユーザにより押下された場合）には、図８のステップＳ８０１に処理を戻す。
【０１７９】
ステップＳ１３１０において、情報処理装置３００は、図１１の処方編集画面を介してユーザから操作を受け付けた後、図８のステップＳ８０１に処理を戻す。
【０１８０】
ステップＳ１３１１において、情報処理装置３００は、図８のステップＳ８０６において、ユーザから図１２に示す環境設定画面の表示する処理、および環境設定画面を介してユーザから指示を受け付けた場合に、その操作が１２０１を選択する操作であるか否かを判定する。
【０１８１】
情報処理装置３００は、１２０１を選択する操作である場合に、ステップＳ１３０７においてステップＳ１３０１で抽出された処方箋データを自動的に予約リスト１０１１に登録し（本発明における、取得手段で取得した処方データを、薬剤の包装動作を行う処方データとして設定する設定手段の一例）、１２０１を選択する操作でない場合にステップＳ１３１２に処理を移行する。
【０１８２】
ステップＳ１３０１において、監査レシートに含まれる患者ＩＤをもとに処方箋データを特定し、ステップＳ１３１１および１３０７において、特定した処方箋データを自動で予約リスト１０１１に登録することで、従来よりも、ユーザによる調剤を行う処方箋データの特定処理に係る手間を削減することが可能となる。
【０１８３】
ステップＳ１３１２において、情報処理装置３００は、図８のステップＳ８０６において、ユーザから図１２に示す環境設定画面の表示する処理、および環境設定画面を介してユーザから指示を受け付けた場合に、その操作が１２０２を選択する操作であるか否かを判定する。
【０１８４】
情報処理装置３００は、１２０１を選択する操作である場合に、ステップＳ１３０１で抽出された処方箋データを自動的に図１１の処方編集画面に設定した後、ステップＳ１３０９に処理を移行し、１２０１を選択する操作でない場合（つまり１２０３を選択する操作である場合）、図８のステップＳ８０１に処理を戻す。
【０１８５】
以上で図１３の説明を終了し、次に、図１４を用いて、図８のステップＳ８１１について説明する。
【０１８６】
図１４は、包装装置５により行われる包装処理の一例を示す図であり、ステップＳ８１１の処理の詳細を示す図である。
【０１８７】
図１４に示すフローチャートの各ステップの処理は、包装装置５のＣＰＵ５１により実行され、実現される。
【０１８８】
ステップＳ１４０１において、包装装置５は、情報処理装置３００から処方箋データや（図１１の処方編集画面を介して、錠剤取出しユニット１の選択や、撒きマスを利用する旨の指示があればその情報も含む）、当該処方箋データに従った包装開始指示等を受信する。
【０１８９】
ステップＳ１４０２において、包装装置５は、錠剤供給装置１０の錠剤取出しユニット１により錠剤シートから錠剤を取り出す指示を行う。なお、ステップＳ１４０１で受信した情報から、錠剤シートから錠剤を取り出す必要がないと判断される場合、ステップＳ１４０２の処理は行わない。
【０１９０】
ステップＳ１４０３において、包装装置５は、散薬投入部１０３から散薬を投入する動作を行う。なお、ステップＳ１４０１で受信した情報から、散薬投入部１０３から散薬を投入する動作を行う必要がないと判断される場合（処方箋データに散薬が含まれない場合）、ステップＳ１４０３の処理は行わない。
【０１９１】
ステップＳ１４０４において、包装装置５は、手撒きマス１０５に投入された錠剤を落下させる。なお、ステップＳ１４０１で受信した情報から、手撒きマス１０５に投入された錠剤を落下させる必要がないと判断される場合、ステップＳ１４０４の処理は行わない。
【０１９２】
ステップＳ１４０５において、包装装置５は、錠剤供給装置１０から取り出された錠剤、散薬投入部から投入された散薬、手撒きマス１０５から落下させた錠剤を包装袋（分包紙とも言う）に包装する動作を行う。
【０１９３】
以上で図１４の説明を終了する。次に、図１７を用いて、ステップＳ８０３の詳細処理の他の実施形態について説明する。
【０１９４】
図１７は、情報処理装置３００により行われる処方データ設定処理の一例を示す図であり、ステップＳ８０３の処理の詳細を示す図である。
【０１９５】
図１７に示すフローチャートの各ステップの処理は、情報処理装置３００のＣＰＵ３０により実行され、実現される。
【０１９６】
ステップＳ１７０１〜ステップＳ１７０６までの各処理は、図１３のステップＳ１３０１〜ステップＳ１３０６までの各処理と同じ処理であるため説明は省略する。
図１７と図１３の処理の異なる点は、処方箋データが、手撒きマス１０５に錠剤を手撒きすべき処方箋データであるかを判定する点である。
【０１９７】
従来のように薬剤監査システムを用いることなく分包システムのみを用いる場合、錠剤供給装置１０により、処方箋に従って錠剤シートから錠剤を取り出したときに、錠剤シートに錠剤が残ってしまう場合（以下、その例として、１枚あたり１０錠の錠剤が封入されている錠剤シートの場合に、処方箋に含まれる当該錠剤の総数が２４錠の場合を想定する。その場合３枚の錠剤シートが必要になるが３枚目の錠剤シートは、６錠分残る）であっても、分包システムを利用するユーザは、特に意識することなく３枚錠剤シートを錠剤取出しユニット１にセットすれば、３枚目の錠剤シートは４錠取り出した後、自動で排出されるため特に問題は発生しない。
【０１９８】
しかしながら、本情報処理システムのように、薬剤監査システムで監査を行ってから、分包システムで分包する場合、ユーザがピッキングした薬剤を薬剤監査装置１００３により監査するときに、先のように４錠しか必要ない３枚目の錠剤シートは、ユーザは、４錠分を錠剤シートから切り離して薬剤監査装置１００３により監査を実行する。
【０１９９】
そうすると、３枚目の錠剤シートは通常の錠剤シートよりも短くなるため、錠剤取出しユニット１にセットしたとき、錠剤取出しユニット１の構造上、錠剤取出しユニット１内の錠剤シートからの錠剤取出し位置まで錠剤シートを搬送できない恐れがあった。
【０２００】
より具体的に説明すると、助剤取り出しユニットの錠剤シートがセットされる位置から錠剤取出し位置までの間には、錠剤取出し位置まで錠剤シートを搬送するためのローラーが所定の間隔をあけて複数備えられているが、その間隔が錠剤シート１枚の平均の長さにあわせてあけられているため、通常より短い錠剤シートの場合、ローラーとローラーの間で止まってしまい、錠剤取出しユニット１の動作を妨げる恐れがあった。
【０２０１】
そのため、通常より短い錠剤シートの場合、その錠剤シートは錠剤取出しユニット１にセットすることなく手撒きマス１０５にユーザが錠剤を投入する必要がある。
【０２０２】
そこで、本実施形態では、そのような手撒きマスに錠剤を投入すべき錠剤シートが処方箋データに含まれるかを判定し、含まれる場合にユーザに通知し、さらに手撒きマスに錠剤を投入するための設定を自動で行うことで、ユーザが誤って上記手撒きマスに錠剤を投入すべき錠剤シートを錠剤取出しユニットにユーザが誤ってセットしてしまうことを防ぐとともに、手撒きマスに錠剤を投入するための設定の手間を削減する。
【０２０３】
ステップＳ１７０７において、情報処理装置３００は、ステップＳ１７０１で抽出した処方箋データ、およびステップＳ１７０６でユーザから選択を受け付けた処方箋データが、手撒きマス１０５に錠剤を手撒きすべき処方箋データであるかを判定する。
【０２０４】
ステップＳ１７０７は、本発明における特定手段により特定した錠剤シートの情報から、錠剤マスに手撒きすべき錠剤シートが含まれるか否かを判定する判定手段の一例である。
【０２０５】
情報処理装置３００は、手撒きマス１０５に錠剤を手撒きすべき処方箋データであると判定された場合には、ステップＳ１７０８に処理を移行し、手撒きマス１０５に錠剤を手撒きすべき処方箋データでないと判定された場合には、ステップＳ１７０９に処理を移行する。
【０２０６】
ステップＳ１７０７において、情報処理装置３００は、ステップＳ１７０１で抽出した処方箋データ、およびステップＳ１７０６でユーザから選択を受け付けた処方箋データが、手撒きマス１０５に錠剤を手撒きすべき処方箋データであるかを判定する方法として、ここでは、２つの実施形態を挙げる。
【０２０７】
１つ目の実施形態は、薬剤監査装置１００３により監査した処方箋データが、手撒きマス１０５に錠剤を手撒きすべき処方箋データである場合に、監査レシートに印字されるコードに、その旨の情報を含ませておき、コードスキャナでコードを読み取ったときに（本発明における、錠剤シートが処方データ分あるかを監査し、監査結果を出力する出力手段を備える監査装置から出力された監査結果から、当該監査装置で監査した錠剤シートの情報を特定する特定手段の一例）、その情報を読み取ることが出来た場合に、手撒きマス１０５に錠剤を手撒きすべき処方箋データであると判定する実施形態である。
【０２０８】
より具体的には、図６のステップＳ６０１において薬剤監査装置１００３が薬剤を監査したときに、薬剤監査装置１００３は、当該薬剤監査装置１００３の外部メモリ２１１に記憶する薬品マスタから各錠剤シート１枚あたりの重さが分かるため、薬剤監査装置１００３にユーザがピッキングした錠剤シートが置かれたときに、その重さが、その錠剤シート１枚の重さの倍数以外の重さである場合に、ユーザにより必要錠剤数分切り離された錠剤シートが薬剤監査装置１００３にセットされたことが分かる。
【０２０９】
ユーザにより必要錠剤数分切り離された錠剤シートが薬剤監査装置１００３にセットされたことが分かった場合に、薬剤監査装置１００３は、印刷装置１００２に対して、監査レシートに印字されるコードに、手撒きマス１０５に錠剤を手撒きすべき処方箋データである旨の情報を含ませるように指示する。
【０２１０】
２つ目の実施形態は、情報処理装置３００が、ステップＳ１７０１で抽出した処方箋データ、およびステップＳ１７０６でユーザから選択を受け付けた処方箋データが、手撒きマス１０５に錠剤を手撒きすべき処方箋データであるかを判定する実施形態である。
【０２１１】
具体的には、当該処方箋データに含まれる錠剤の総数と、情報処理装置３００の外部メモリ２１１で記憶する薬品マスタに含まれる当該錠剤が封入された錠剤シートの１枚あたり封入される錠剤の総数を用いて、処方箋データに含まれる錠剤の総数が、錠剤シート１枚あたり封入される錠剤の総数の倍数以外の錠剤数である場合に、ユーザにより必要錠剤数分切り離された錠剤シートが発生する、つまり、手撒きマス１０５に錠剤を手撒きすべき処方箋データであると判定することができる。
【０２１２】
ステップＳ１７０８において、情報処理装置３００は、情報処理装置３００のディスプレイ３４に、図１８に示す手撒きマス設定画面を表示する。
【０２１３】
ステップＳ１７０８は、本発明における、判定手段により、錠剤マスに手撒きすべき錠剤シートが含まれると判定された場合に、当該錠剤マスのマス配列を案内するための錠剤マス画面を表示する表示手段の一例である。
【０２１４】
ここで、図１８の手撒きマス設定画面について説明する。
【０２１５】
図１８は、情報処理装置３００のディスプレイ３４に表示される手撒きマス設定画面の一例を示す図である。
【０２１６】
メッセージ１８０１には、ステップＳ１７０７の判定結果をもとに、手撒きマス１０５に何錠錠剤を手撒きすればよいかをユーザに通知する。
【０２１７】
メッセージ１８０１を表示することにより、ユーザは、錠剤取出しユニット１にセットすべき錠剤シートの数と、手撒きすべき錠剤の数を把握することができ、かつユーザにより必要錠剤数分切り離された錠剤シートが誤って錠剤取出しユニット１にセットされる可能性を低減する事が可能となる。
【０２１８】
手撒きマスイメージ１８０２は、手撒きマス１０５のイメージを示し（１つの四角が１つのマスを示す）、手撒きマスイメージ１８０２の斜線部は、ユーザが端数の錠剤を手撒きすべき手撒きマス１０５の位置を示す。
【０２１９】
ユーザが端数の錠剤を手撒きすべき手撒きマス１０５の位置は情報処理装置３００が自動で設定しても良いし、図１８の画面を介してユーザが設定しても良い。
【０２２０】
完了ボタン１８０３は、手撒きマス設定画面を閉じるボタンであり、完了ボタン１８０３がユーザにより押下されると、図１１の処方編集画面を表示する。
【０２２１】
以上で図１８の説明を終了し図１７の説明に戻る。
【０２２２】
ステップＳ１７０９において、情報処理装置３００は、情報処理装置３００のディスプレイ３４に、図１１の処方編集画面を表示し、ステップＳ１７１０において、図１１の処方編集画面を介してユーザから操作を受け付け、ステップＳ８０１に処理を戻す。
【０２２３】
ステップＳ１７０９は、本発明における、判定手段により、錠剤マスに手撒きすべき錠剤シートが含まれないと判定された場合に、前記錠剤シートから錠剤を取り出す錠剤取出し手段を選択する選択画面を表示する表示手段の一例である。
【０２２４】
以上で図１７の説明を終了する。
【０２２５】
以上で実施例の説明を終了する。
【０２２６】
なお、本実施例において、情報処理装置３００のＣＰＵ３０が実行するとした処理は、包装装置５のＣＰＵ５１が実行しても良い。
【０２２７】
以上、本発明によると、監査装置で監査された錠剤シートに、錠剤マスに錠剤を投入すべき錠剤シートが含まれる場合に、当該錠剤シートをユーザに認識させることが可能となる。
【０２２８】
その場合、情報処理装置３００のディスプレイ３４に表示した各画面は、包装装置５のディスプレイ１０１に表示され、情報処理装置３００の外部メモリ３６に記憶した情報は、包装装置５のＲＯＭ５２に記憶される。
【０２２９】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。さらに、錠剤供給システム内で処理されてもよい。
【符号の説明】
【０２３０】
５        包装装置
１０      錠剤供給装置
１００２  印刷装置
１００３  薬剤監査装置
３００    情報処理装置
４００    情報処理装置
【図１】
2017118916.tif 000003
【図２】
2017118916.tif 000004
【図３】
2017118916.tif 000005
【図４】
2017118916.tif 000006
【図５】
2017118916.tif 000007
【図６】
2017118916.tif 000008
【図７】
2017118916.tif 000009
【図８】
2017118916.tif 000010
【図９】
2017118916.tif 000011
【図１０】
2017118916.tif 000012
【図１１】
2017118916.tif 000013
【図１２】
2017118916.tif 000014
【図１３】
2017118916.tif 000015
【図１４】
2017118916.tif 000016
【図１５】
2017118916.tif 000017
【図１６】
2017118916.tif 000018
【図１７】
2017118916.tif 000019
【図１８】
2017118916.tif 000020
【図１９】
2017118916.tif 000021